(57)【特許請求の範囲】
【請求項１】
単一の解除釦を挟んで互いの内側面が所定の方向に対向する一対の端子板及び一対の鎖バネを備え、貫通孔に挿入された導体を前記鎖バネの弾性力によって前記端子板と前記鎖バネとの間に挟持するとともに、解除孔に挿入された工具を介して押圧操作された前記解除釦の移動によって前記鎖バネの弾性力を解除するスイッチボックスの速結端子部構造において、
前記一対の端子板の少なくとも一方の端子板における前記解除釦に対向しない外側面に、前記解除釦と前記所定の方向に並んで配置された他の解除釦に前記所定の方向に対向して前記他の解除釦の前記所定の方向への移動を規制するガイド部を形成したことを特徴とするスイッチボックスの速結端子部構造。
【請求項２】
一定間隔で直線上に配置して形成した３個の貫通孔と、前記３個の貫通孔のそれぞれの間に配置して形成した２個の解除孔と、を設け、前記３個の貫通孔のそれぞれに対向する位置に３個の端子板及び３個の鎖バネを収納するとともに、前記２個の解除孔のそれぞれに対向する位置に２個の解除釦を収納し、
前記３個の端子板のうち中央及び一方側の端子板を、前記２個の解除釦の一方を挟んで互いの内側面を対向させて配置するとともに、
前記３個の端子板のうち他方側の端子板の内側面と前記中央の端子板の外側面との間に、前記２個の解除釦の他方を挟んで配置したことを特徴とする請求項１に記載のスイッチボックスの速結端子部構造。
【発明の詳細な説明】
【０００１】
【発明の属する技術分野】
この発明は、電気製品に対する電源ラインをオン／オフする速結式のスイッチボックスの小型化に適した速結端子部構造に関する。
【０００２】
【従来の技術】
照明器具等の電気製品に対する電源ラインをオン／オフするスイッチを収納したスイッチボックスとして、電源ラインの導体が挿入される貫通孔及びドライバ等の工具が挿入される解除孔を背面に開放して備え、貫通孔に対する導体の挿入によって結線を完了し、解除孔に対する工具の挿入によって結線を解除するようにした所謂速結式のスイッチボックスがある。
【０００３】
このようなスイッチボックスの内部には、貫通孔に対向する位置に端子板及び鎖バネが配置されており、また、解除孔に対向する位置に解除釦が配置されている。鎖バネは、弾性力によって貫通孔に挿入された導体を端子板との間に挟持する。これによって、導体は、貫通孔から引き抜くことができなくなる。端子板はスイッチボックス内において電源回路を構成するプリント基板に実装されており、スイッチボックス内のスイッチのオン／オフにより、電源ラインの導体から端子板を介して電源回路に選択的に電源が供給される。解除釦は、解除孔に挿入された工具によって押圧されると鎖バネをその弾性力に抗して端子板から離間する方向に変形させるように移動する。これによって、電源ラインの導体は、鎖バネと端子板との間に挟持されなくなり、貫通孔から引き抜くことができる状態になる。
【０００４】
従来の一般的なスイッチボックスでは、電源ラインを構成する２本の導体のそれぞれが挿入される２個の貫通孔、及び、これらの間に配置された１個の解除孔が形成されており、スイッチボックスの内部には、単一の解除釦を挟んで２組の鎖バネ及び端子板が備えられている。解除孔に挿入された工具によって押圧された解除釦は、両側に位置する鎖バネを同時に変形させる。
【０００５】
このため、従来のスイッチボックスの内の速結端子部は、単一の解除釦を所定範囲内において移動自在に収納するとともに２組の鎖バネ及び端子板を間に単一の解除釦を挟んだ状態で収納できる形状にされており、単一の解除釦と２組の鎖バネ及び端子板とを収納する凹部とともに、解除釦の移動方向を規定するガイド壁が形成されている。
【０００６】
【発明が解決しようとする課題】
しかしながら、従来のスイッチボックスの速結端子部構造では、単一の解除釦と２組の鎖バネ及び端子板とを収納する形状を１単位として構成されていたため、電源ラインとして３本の導体が接続される３路配線用のスイッチボックスでは図５（Ａ）又は（Ｂ）に示すように、ケース３００内に２単位分の速結端子部３０１及び３０２を形成し、合計４個の貫通孔３１１〜３１４のうちの１つを使用せず、残りの３つの貫通孔３１１〜３１３に対応する位置のそれぞれに３組の鎖バネ及び端子板を収納するようにしていた。これは、１単位の速結端子部に含まれる単一の解除釦によっては、２組の鎖バネ及び端子板による導体の挟持を解除することしかできず、３本の導体に対する鎖バネ及び端子板の挟持状態を解除するためには少なくとも２個の解除釦が必要であり、１単位の速結端子部には１個の解除釦しか収納できないためである。
【０００７】
このように、３路配線用のスイッチボックス内には合計４個の貫通孔を含む２単位分の速結端子部を形成するスペースが必要になり、スイッチボックスの小型化に適用することができない問題があった。例えば、屋内の照明器具に使用されるスイッチボックスは建築物の壁面に取り付けられるために限られたスペースの壁面内にスイッチ回路及びスイッチ機構を構成する部品を収納したスイッチボックスを埋設しなければならず、また、調光機能を備えた照明器具に使用されるスイッチボックスには照明器具に対する電源ラインをオン／オフするためのスイッチのほかに照明器具の光量を調整するためのスイッチを設ける必要があり、さらに、単一の室内において複数の照明器具が配置される場合や照明器具が換気扇等の他の電気製品とともに設置される場合には操作性を考慮して複数の電気製品の電源のそれぞれをオン／オフする複数のスイッチボックスを単一のスイッチモジュールに備える必要があり、いずれにしてもスイッチボックス内における速結端子部の占めるスペースの小型化の要請が強い。
【０００８】
この発明の目的は、２個の解除釦を３個の貫通孔の設置スペース内に収納することができるようにし、導体の結線に使用されないスペースを排除することにより、他のスイッチボックスと並設されるとともに調光照明器具等に用いられる３路配線用のスイッチボックスの小型化を実現することができる速結端子部構造を提供することにある。
【０００９】
【課題を解決するための手段】
上記の課題を解決するための手段として、この発明は、以下の構成を備えている。
【００１０】
（１）単一の解除釦を挟んで互いの内側面が所定の方向に対向する一対の端子板及び一対の鎖バネを備え、貫通孔に挿入された導体を前記鎖バネの弾性力によって前記端子板と前記鎖バネとの間に挟持するとともに、解除孔に挿入された工具を介して押圧操作された前記解除釦の移動によって前記鎖バネの弾性力を解除するスイッチボックスの速結端子部構造において、
前記一対の端子板の少なくとも一方の端子板における前記解除釦に対向しない外側面に、前記解除釦と前記所定の方向に並んで配置された他の解除釦に前記所定の方向に対向して前記他の解除釦の前記所定の方向への移動を規制するガイド部を形成したことを特徴とする。
【００１１】
この構成においては、鎖バネの弾性力によって鎖バネとの間に導体を挟持するとともに解除釦の移動によって導体の挟持を解除する端子板に他の解除釦の移動方向を規定するガイド部が形成される。したがって、単一の解除釦を挟んで対向する２組の端子板及び鎖バネを備えた１つの速結端子部に隣接して他の速結端子部を配置した場合に、当該１つの速結端子部に含まれる端子板のガイド部によって他の速結端子部に含まれる解除釦の移動方向が規定され、当該１つの速結端子部と他の速結端子部との間に他の速結端子部に含まれる解除釦の移動方向を規定する部材を設ける必要がない。
【００１２】
（２）一定間隔で直線上に配置して形成した３個の貫通孔と、前記３個の貫通孔のそれぞれの間に配置して形成した２個の解除孔と、を設け、前記３個の貫通孔のそれぞれに対向する位置に３個の端子板及び３個の鎖バネを収納するとともに、前記２個の解除孔のそれぞれに対向する位置に２個の解除釦を収納し、
前記３個の端子板のうち中央及び一方側の端子板を、前記２個の解除釦の一方を挟んで互いの内側面を対向させて配置するとともに、
前記３個の端子板のうち他方側の端子板の内側面と前記中央の端子板の外側面との間に、前記２個の解除釦の他方を挟んで配置したことを特徴とする。
【００１３】
この構成においては、３路配線に使用される３本の導体のそれぞれが挿入される３個の貫通孔が直線上に配置され、各貫通孔の間に２個の解除孔が形成される。各貫通孔に対向して導体を挟持する端子板及び鎖バネが配置され、各解除孔に対向して端子板及び鎖バネによる導体の挟持を解除する解除釦が配置される。したがって、中央の貫通孔と何れか一方側の貫通孔とに対向する２組の端子板及び鎖バネによる２本の導体の挟持を一方の解除釦により行い、他方側の残る１つの貫通孔に対向する１組の端子板及び鎖バネによる１本の導体の挟持を他方の解除釦により行う場合に、中央の貫通孔に対向する端子板に形成されたガイド部によって他方の解除釦の移動方向が規定され、中央の貫通孔に対向する端子板及び鎖バネと他方の解除釦との間に他方の解除釦の移動方向を規定する部材を設ける必要がなく、３路配線に必要な３個の貫通孔及び２個の解除孔の配置スペースが狭小化される。
【００１４】
【発明の実施の形態】
図１は、この発明の実施形態に係る速結端子部構造を適用したスイッチボックスの組立図である。また、図２は、同スイッチボックスを収納したスイッチの正面図である。図１において、各部品は前面側を上方にし、背面側を下方にして配置されている。この実施形態に係るスイッチボックス１０は、図２に示すように、建築物の壁面に密着して配置されるスイッチプレート２０における開口部２１の長手方向の長さを単位モジュールとして、２／３モジュール内に収納される調光機能を備えた照明器具（以下、調光照明器具という。）用のスイッチボックスである。なお、スイッチプレート２０の残る１／３モジュールには、別の電気製品のためのスイッチボックスが収納される。
【００１５】
このように、単一のスイッチモジュール内に複数のスイッチボックスを収納するのは、単一の室内において、複数の照明器具が配置される場合や照明器具が換気扇等の他の電気製品とともに設置される場合に、これら複数の電気製品をオン／オフするスイッチを壁面の１箇所に集中配置することにより、操作性の向上を図るためである。
【００１６】
また、スイッチボックス１０は、壁面に固定される取付板３０に形成された開口部３１から３個の操作ボタン１１〜１３が形成された補助プレート１の前面側を露出した状態で取付板３０の背面側に取り付けられ、壁面の内部に収納される。操作ボタン１３は、この発明の操作部材である。スイッチプレート２０は、開口部２１の位置を開口部３１に一致させた状態で飾りプレート４０を挟んで取付板３０の前面に嵌着する。飾りプレート４０には、操作ボタン１１〜１３に対向する位置に孔部４１〜４３が形成されている。したがって、取付板３０の開口部３１から露出した補助プレート１の操作ボタン１１〜１３は、スイッチプレート２０の開口部２１内において飾りプレート４０の孔部４１〜４３から壁面の外部に露出する。これによって、操作者が補助プレート１の前面部分に形成された３個の操作ボタン１１〜１３を押圧操作することができる。
【００１７】
スイッチボックス１０は、上述の補助プレート１の背面に取り付けられるケース２内に、制御用プリント基板３及び電源用プリント基板４を、絶縁シート５１、端子押え板５２、放熱板５３等の他の部品とともに収納している。制御用プリント基板３には、プッシュスイッチ６１ａ，６１ｂ及びＬＥＤ６２ａ〜６２ｅが、図示しないＩＣ等の電子部品とともに実装されている。電源用プリント基板４には、マイクロスイッチ６及びロックスイッチ７が前面側に、チョークコイル７１、コンデンサ７２，７３及びトライアック４２が背面側に、それぞれ図示しない他の電子部品とともに実装されている。
【００１８】
制御用プリント基板３に構成された制御回路は、プッシュスイッチ６１ａ又は６１ｂの操作に応じてトライアック４２を介して調光照明器具に供給する電力量を増加又は減少させて調光照明器具の光量を増減変化させるとともに、調光照明器具に供給している電力量をＬＥＤ６２ａ〜６２ｅの点灯数によって表示する。制御用プリント基板３に実装されたプッシュスイッチ６１ａ及び６１ｂの上面には、補助プレート１に形成された操作ボタン１１及び１２のそれぞれの背面が当接する。してたがって、操作ボタン１１又は１２を操作することにより、調光照明器具の光量が増減変化する。
【００１９】
また、補助プレート１においてＬＥＤ６２ａ〜６２ｅの上面に対向する位置には透光性のＬＥＤカバー１４が配置されており、さらに、飾りプレート４０においてＬＥＤカバー１４に対向する位置に孔部４４が形成されている。これによって、調光照明器具に対する電力供給量に応じたＬＥＤ６２ａ〜６２ｅの点灯状態が、ＬＥＤカバー１４を介して飾りプレート４０の前面から視認される。
【００２０】
電源用プリント基板４の前面に構成されたマイクロスイッチ６を含む主電源回路は、調光照明器具に対する電源ラインをオン／オフする。また、電源用プリント基板４の背面に構成されたチョークコイル７１及びコンデンサ７２，７３を含む整流回路は、商用交流電源を直流電源に整流して制御用プリント基板３に供給する。マイクロスイッチ６は、オン／オフ状態を固定的に保持することができない非自己保持型のマイクロスイッチであり、要求される接点容量が同一の自己保持型のマイクロスイッチに比較して十分に小型に形成されている。
【００２１】
比較的大型の部品であるチョークコイル７１及びコンデンサ７２，７３が実装される電源用プリント基板４の背面には、トライアック４２を保持する放熱板５３が装着される。また、電源用プリント基板４の背面には、３路配線を実現するために設けられた３組の端子部品８０のそれぞれに含まれる端子板８１が実装される。これらのことから、ケース２内には、電源用プリント基板４の背面側に前後方向の比較的広いスペースが必要となる。
【００２２】
なお、１組の端子部品８０は、端子板８１及び鎖バネ８２からなる。これらの詳細については後述する。
【００２３】
また、スイッチボックス１は、２／３モジュール内に収納する必要があるため、ケース２内において制御用プリント基板３及び電源用プリント基板４を基板面方向に並べて配置することはできず、制御用プリント基板３は電源用プリント基板４の前面側に所定の間隔を設けて積層した状態で配置されている。ここで、制御用プリント基板３を電源用プリント基板４の前面側に配置しているのは、制御用プリント基板３に実装されたプッシュスイッチ６１ａ及び６１ｂを補助プレート１に形成された操作ボタン１１及び１２に近接して対向させるためである。
【００２４】
したがって、電源用プリント基板４の前面側には制御用プリント基板３が位置しており、電源用プリント基板４の前面において調光照明器具の電源をオン／オフするマイクロスイッチ６を配置するために残されたスペースは僅かである。一方、調光照明器具に供給すべき最大の電力量は、調光機能を備えていない照明器具に比較して大きくなる場合が多く、一例として最大で５００Ｗの電力を供給する必要がある場合には、マイクロスイッチ６は少なくとも５Ａの接点容量を備えている必要がある。
【００２５】
また、調光照明器具の電源をオン／オフする場合の操作性を考慮すると、操作部材を回転させたりスライドさせる操作よりも、押圧操作の繰り返しによってオン状態とオフ状態とを順次切り換えることが望ましいため、このスイッチボックス１０では、補助プレート１に形成されたもう一つの操作ボタン１３の押圧操作によって調光照明器具の電源をオン／オフするようにしている。このため、調光照明器具の電源をオン／オフすべく電源用プリント基板４に実装されたマイクロスイッチ６は、補助プレート１の操作ボタン１３が押圧操作される毎にオン状態とオフ状態とを交互に保持する必要がある。
【００２６】
この場合に、オン状態とオフ状態とを交互に保持する機能を備えた５Ａの容量に耐える既存の自己保持型のマイクロスイッチは、電源用プリント基板４に残されたマイクロスイッチ６の配置スペースに比較して大きいため、使用することができない。また、制御用プリント基板３の面積を十分に小さくすることができたとしても、５Ａの容量に耐える既存の自己保持型のマイクロスイッチは、前後方向にも長く、ケース２の奥行きが増加して壁面内に収納できなくなる。
【００２７】
そこで、この実施形態に係るスイッチボックス１０では、電源用プリント基板４の前面に、自己保持型のマイクロスイッチに比較して十分に小さい既存の非自己保持型のマイクロスイッチ６を実装するとともに、このマイクロスイッチ６に並設してロックスイッチ７を実装し、ロックスイッチ７のロック軸７ａの上端部に操作ボタン１３の背面に当接し、かつ、マイクロスイッチ６のレバー部６ａの上面に当接する延出部９ａを形成したアダプタ９を係止した。なお、アダプタ９は、電源用プリント基板４の上面に装着されるホルダ８によって前後方向の移動範囲を規定されている。
【００２８】
ロックスイッチ７は、市販品であり、ロック軸７ａをその軸方向に移動自在にして備えた既存のスイッチであり、ロック軸７ａを軸方向に繰り返し押圧操作すると、その押圧操作毎にロック軸７ａは押圧操作方向（軸方向）の２位置のそれぞれに交互に停止する。ロックスイッチ７は、ロック軸の押圧操作方向（軸方向）がマイクロスイッチ６のレバー部６ａの移動方向に平行になるようにして、マイクロスイッチ６に並設されている。したがって、ロックスイッチ７におけるロック軸７ａの移動方向、及び、マイクロスイッチ６におけるレバー部６ａの移動方向は、スイッチボックス１０の前後方向、即ち、補助プレート１における操作ボタン１３の押圧操作方向に一致する。
【００２９】
したがって、補助プレート１に形成された操作ボタン１３の押圧操作はアダプタ９を介してロックスイッチ７のロック軸７ａに伝達され、操作ボタン１３が押圧操作される毎にアダプタ９はロックスイッチ７のロック軸７ａとともに操作ボタン１３の押圧操作方向（スイッチボックス１０の前後方向）の２位置のそれぞれに交互に停止し、このアダプタ９の変位が延出部９ａからマイクロスイッチ６のレバー部６ａに伝達される。
【００３０】
図３（Ａ）及び（Ｂ）は、この発明の実施形態に係る速結端子部構造の詳細を説明するスイッチボックスの要部の正面図及び背面図である。この実施形態に係る速結端子部１００は、３個の貫通孔９１（９１ａ〜９１ｃ）、２個の解除孔９２（９２ａ，９２ｂ）、３組の端子部品８０（８０ａ〜８０ｃ）及び２個の解除釦９３（９３ａ，９３ｂ）を含む。３個の貫通孔９１（９１ａ〜９１ｃ）及び２個の解除孔９２（９２ａ，９２ｂ）は、ケース２の背面に形成されている。３個の貫通孔９１（９１ａ〜９１ｃ）は図３（Ａ）及び（Ｂ）に示す矢印Ｘ−Ｘ方向において、等間隔に直線上に配列して形成されており、２個の解除孔９２（９２ａ，９２ｂ）のそれぞれは３個の貫通孔９１（９１ａ〜９１ｃ）の配列方向における各貫通孔９１（９１ａ〜９１ｃ）の中間位置に形成されている。各貫通孔９１（９１ａ〜９１ｃ）には、３路配線に使用される３本の導体のそれぞれが挿入される。各解除孔９２（９２ａ，９２ｂ）には、導体の抜脱時にドライバ等の工具が挿入される。
【００３１】
ケース２の内部において各貫通孔９１（９１ａ〜９１ｃ）に対向する位置には、３組の端子部品８０（８０ａ〜８０ｃ）のそれぞれが収納される凹部８３（８３ａ〜８３ｃ）が形成されている。各端子部品８０（８０ａ〜８０ｃ）は、端子板８１（８１ａ〜８１ｃ）及び鎖バネ８２（８２ａ〜８２ｃ）によって構成されている。各端子部品８０（８０ａ〜８０ｃ）は、各貫通孔９１（９１ａ〜９１ｃ）に挿入された導体を鎖バネ８２の弾性力によって端子板８１と鎖バネ８２との間に挟持する。
【００３２】
ケース２の内部において各解除孔９２（９２ａ，９２ｂ）に対向する位置には、２個の解除釦９３（９３ａ，９３ｂ）のそれぞれが収納される凹部８４（８４ａ，８４ｂ）が形成されている。一方の解除釦９３ａの一部は、中央の貫通孔９１ｂとその一方側に位置する貫通孔９１ａとに対向する２組の端子部品８０ａ，８０ｂに含まれる鎖バネ８２ａ，８２ｂに当接している。一方の解除釦９３ａは、解除孔９２ａに挿入された工具により押圧された際に、鎖バネ８２ａ，８２ｂの弾性力に抗して図３に示す矢印Ｙ方向（矢印Ｘ−Ｘ方向に直交する方向）に移動し、端子部品８０ａ，８０ｂにおける導体の挟持状態を解除する。
【００３３】
他方の解除釦９３ｂの一部は、中央の貫通孔９１ｂの他方側に位置する貫通孔９１ｃに対向する１組の端子部品８０ｃに含まれる鎖バネ８２ｃに当接している。他方の解除釦９３ｂは、解除孔９２ｂに挿入された工具により押圧された際に、鎖バネ８２ｃの弾性力に抗して図３（Ａ）に示す矢印Ｙ方向に移動し、端子部品８０ｃにおける導体の挟持状態を解除する。
【００３４】
一方の解除釦９３ａは、凹部８３（８３ａ，８３ｂ）内に互いに内側面を対向させて収納された端子板８１ａ，８１ｂに矢印Ｘ−Ｘ方向に挟まれており、各端子板８１ａ，８１ｂの内側面に形成された係合部８１ａａ及び８１ｂａとの係合により凹部８４ａ内における矢印Ｘ−Ｘ方向の移動を規制されている。これによって、一方の解除釦９３ａは、解除孔９２ａに挿入された工具を介して押圧された際に、端子部品８０ａ，８０ｂにおける導体の挟持状態を解除するように、矢印Ｙ方向にのみ確実に移動する。
【００３５】
これに対して、他方の解除釦９３ｂは、矢印Ｘ−Ｘ方向において、凹部８３ｂ内に収納された端子板８１ｂと凹部８３ｃ内に収納された端子板８１ｃとの間に位置してはいるが、端子板８１ｂの内側面と端子板８１ｃの内側面とは互いに対向していない。このため、他方の解除釦９３ｂは、端子板８１ｃの内側面に形成された係合部８１ｃａに係合するが、端子板８１ｂの内側面に形成された係合部８１ｂａには係合せず、凹部８４ｂ内における矢印Ｘ−Ｘ方向の移動を規制されない。
【００３６】
ここで、解除孔９２ｂに挿入された工具を介して押圧された際に、端子部品８０ｃにおける導体の挟持状態を解除するように、他方の解除釦９３ｂを矢印Ｙ方向にのみ確実に移動させるためには、図４に示すように、ケース２内における凹部８３ｂと凹部８４ｂとの間にガイド用壁２００を形成し、他方の解除釦９３ｂにおいて端子板８１ｃの係合部８１ｃａに係合する側とは反対側の位置をガイド用壁２００との当接によって規定することも考えられる。
【００３７】
しかし、図４に示す構成では、少なくとも１．５ｍｍ程度の幅を有するガイド用壁２００が２個の解除釦９３ａ，９３ｂの間、即ち２個の解除孔９２ａ，９２ｂの間に存在し、矢印Ｘ−Ｘ方向についてケース２の幅が長くなる。
【００３８】
そこで、この実施形態に係るスイッチボックス１００では、図３（Ａ）に示すように、少なくとも中央に配置された端子板８１ｂの外側面に解除釦９３ｂの矢印Ｘ−Ｘ方向の移動を規制するガイド部としての機能を与え、端子板８１ｂの外側面が解除釦９３ｂに当接するように配置している。これによって、ケース２内に解除釦９３ｂのＸ−Ｘ方向の移動を規制するためのガイド用壁２００を形成する必要がなく、３路配線に使用される３組の端子部品８０ａ〜８０ｃ及び２個の解除釦９３ａ，９３ｂを３個分の貫通孔９１（９１ａ〜９１ｃ）のスペースに配置することができ、矢印Ｘ−Ｘ方向についてケース２の幅を短くすることができる。
【００３９】
この結果、調光照明器具を３路配線する際に使用されるスイッチボックス１００を、他の電気製品のスイッチボックスとともに単一のスイッチモジュール内に収納できる大きさに構成することができる。
【００４０】
なお、部品を共通化して製造工程における部品管理の簡略化を図るためには、解除釦９３ｂに外側面が対向しない左側の端子板８１ｃの形状を中央の端子板８１ｂと同一にすることが好ましい。
【００４１】
【発明の効果】
この発明によれば、以下の効果を奏することができる。
【００４２】
（１）鎖バネの弾性力によって鎖バネとの間に導体を挟持するとともに解除釦の移動によって導体の挟持を解除する端子板に他の解除釦の移動方向を規定するガイド部を形成することにより、単一の解除釦を挟んで対向する２組の端子板及び鎖バネを備えた１つの速結端子部に隣接して他の部速結端子部を配置した場合に、当該１つの速結端子部に含まれる端子板のガイド部によって他の速結端子部に含まれる解除釦の移動方向を規定することができ、当該１つの速結端子部と他の速結端子部との間に他の速結端子部に含まれる解除釦の移動方向を規定する部材を設ける必要がなく、スイッチボックスを小型化することができる。
【００４３】
（２）３路配線に使用される３本の導体のそれぞれが挿入される３個の貫通孔を直線上に配置し、各貫通孔の間に２個の解除孔を形成することにより、中央の貫通孔と何れか一方側の貫通孔とに対向する２組の端子板及び鎖バネによる２本の導体の挟持を一方の解除釦により行い、他方側の残る１つの貫通孔に対向する１組の端子板及び鎖バネによる１本の導体の挟持を他方の解除釦により行う場合に、中央の貫通孔に対向する端子板に形成されたガイド部によって他方の解除釦の移動方向を規定することができ、中央の貫通孔に対向する端子板及び鎖バネと他方の解除釦との間に他方の解除釦の移動方向を規定する部材を設ける必要がなく、３路配線に必要な３個の貫通孔及び２個の解除孔の配置スペースを狭小化してスイッチボックスを小型化することができる。
【図面の簡単な説明】
【図１】この発明の実施形態に係る速結端子部構造を適用したスイッチボックスの組立図である。
【図２】同スイッチボックスを収納したスイッチの正面図である。
【図３】この発明の実施形態に係る速結端子部構造の詳細を説明するスイッチボックスの要部の正面図及び背面図である。
【図４】この発明を適用しない場合の速結端子部構造の詳細を説明するスイッチボックスの要部の正面図である。
【図５】３路配線に用いられる従来のスイッチボックスの要部の構成を示す図である。
【符号の説明】
２−ケース
１０−スイッチボックス
８０（８０ａ〜８０ｃ）−端子部品
８１（８１ａ〜８１ｃ）−端子板
８２（８２ａ〜８２ｃ）−鎖バネ
８３（８３ａ〜８３ｃ）−凹部
８４（８４ａ，８４ｂ）−凹部
９１（９１ａ〜９１ｃ）−貫通孔
９２（９２ａ，９２ｂ）−解除孔
９３（９３ａ，９３ｂ）−解除釦
【図１】
0003924474.tif 000002
【図２】
0003924474.tif 000003
【図３】
0003924474.tif 000004
【図４】
0003924474.tif 000005
【図５】
0003924474.tif 000006